(57)【要約】【課題】  本発明は記録媒体に映像音声情報を記録し再生する映像音声記録再生装置に関し、ＨＤ画質コンテンツは情報量が多いため編集のための処理時間に多くの時間を要してしまう。【解決手段】  外部からの映像音声をＨＤ画質とＳＤ画質の２つ解像度でハードディスクに保存する。ＳＤ画質のコンテンツの編集位置と編集内容をＨＤ画質のコンテンツに反映させることにより編集処理時間を短縮する。これにより、映像音声情報を編集するとき、使い勝手が向上し、ユーザの利便性が増す。【選択図】  図１
2008294595.tif 000002
【特許請求の範囲】
【請求項１】
外部からの映像音声を記録する映像音声記録再生装置であって、
前記映像音声を入力する入力手段と、
前記入力手段から得た信号を第１の解像度に変換する第１の解像度変換手段と、
前記入力手段から得た信号を第２の解像度に変換する第２の解像度変換手段と、
前記第１の解像度変換手段で変換された第１の解像度のコンテンツと前記第２の解像度変換手段で変換された第２の解像度のコンテンツを記録する記録媒体と、
前記第１の解像度のコンテンツと前記第２の解像度のコンテンツを編集する編集手段と、
前記第１の解像度のコンテンツと前記第２の解像度のコンテンツを再生する再生手段とを備え、
前記編集手段が前記第２の解像度のコンテンツの編集位置と編集内容を前記第１の解像度のコンテンツに適用して編集することを特徴とする映像音声記録再生装置。
【請求項２】
外部からの映像音声を記録する映像音声記録再生装置であって、
前記映像音声を入力する入力手段と、
前記入力手段から得た信号を第１の解像度に変換する第１の解像度変換手段と、
前記入力手段から得た信号を第２の解像度に変換する第２の解像度変換手段と、
前記第１の解像度変換手段で変換された第１の解像度のコンテンツと前記第２の解像度変換手段で変換された第２の解像度のコンテンツを記録する記録媒体と、
前記第１の解像度のコンテンツと前記第２の解像度のコンテンツを編集する編集手段と、
前記第１の解像度のコンテンツと前記第２の解像度のコンテンツを再生する再生手段と、
前記第１の解像度のコンテンツと前記第２の解像度のコンテンツの再生編集許可を管理する鍵管理手段とを備え、
前記第２の解像度のコンテンツを外部機器に出力しコピーする前は前記第１の解像度のコンテンツのみを再生編集許可とし、
前記第２の解像度のコンテンツを外部機器に出力しコピーした後は前記第１の解像度のコンテンツと前記第２の解像度のコンテンツの再生編集を不許可とし、
前記外部機器から編集位置と編集内容を入力されたときは前記第１の解像度のコンテンツに前記編集位置と前記編集内容を適用して編集することを特徴とする映像音声記録再生装置。
【請求項３】
請求項２に記載の外部機器であって、
前記第２の解像度のコンテンツを記録する記録媒体と、
前記第２の解像度のコンテンツを編集する編集手段と、
前記第２の解像度のコンテンツを再生する再生手段と、
前記第２の解像度のコンテンツの再生編集許可を管理する鍵管理手段とを備え、
外部から第２の解像度のコンテンツがコピーされたときは再生編集許可とし、
前記編集手段は編集位置と編集内容を記憶し、
前記編集位置と前記編集内容を外部に出力した後は第２の解像度のコンテンツの再生編集を不許可にすることを特徴とする映像音声記録再生装置。
【請求項４】
前記第１の解像度は前記第２の解像度より高い解像度であることを特徴とする請求項１１または請求項２に記載の映像音声記録再生装置。  
【請求項５】
請求項２に記載の映像音声記録再生装置は据え置き型であることを特徴とする映像音声記録再生装置。
【請求項６】
請求項３に記載の映像音声記録再生装置は持ち運び型であることを特徴とする映像音声記録再生装置。
【発明の詳細な説明】
【技術分野】
【０００１】
本発明は記録媒体に映像音声情報を記録し再生する映像音声記録再生装置に関する。
【背景技術】
【０００２】
高質の映像音声情報を低質の映像音声情報に変換し、低質の映像音声情報を編集することにより、短時間に高質の映像編集を実現する技術として特許文献１がある。これは「元映像を少ない情報量にして編集作業を行い編集結果をもとに高画質の元映像から必要な映像を再生して録画し、簡単な構成、短時間かつ高画質の映像編集を実現する」と記載されている。
また特許文献２には「複数巻の高質録画の内容を得るための高質録画再生手段と、それらの高質録画の内容を低質録画の内容に変える情報量調節録画再生手段と、低質録画の内容を編集する仮編集手段と、低質録画の編集内容にしたがって巻を自動的に指定するテープ巻指定手段と、指定された巻の高質録画の内容を低質録画の編集内容にしたがって編集する本編集手段を備える」と記載されている。
【０００３】
【特許文献１】特開２０００−９２４３３号公報
【特許文献２】特開平８−７５３５号公報
【発明の開示】
【発明が解決しようとする課題】
【０００４】
近年、ＨＤＤ（Ｈａｒｄ  Ｄｉｓｋ  Ｄｒｉｖｅ）、ＤＶＤ（Ｄｉｇｉｔａｌ  Ｖｅｒｓａｔｉｌｅ  Ｄｉｓｋ）、ＢＤ（Ｂｌｕ−ｒａｙ  Ｄｉｓｋ）、ＳＤ（Ｓｅｃｕｒｅ  Ｄｉｇｉｔａｌ）メモリカードを搭載したレコーダやカメラが普及してきている。これらのレコーダやカメラはＨＤ（Ｈｉｇｈ  Ｄｅｆｉｎｉｔｉｏｎ）画質とＳＤ（Ｓｔａｎｄａｒｄ  Ｄｅｆｉｎｉｔｉｏｎ）画質の録画が可能になっている。
ＨＤ画質は高精細であるが情報量が多いため、映像音声情報の編集に長時間を要してしまう。そこで効率の良い編集を行うことを課題とする。  
【課題を解決するための手段】
【０００５】
外部からの映像音声から、第１の解像度のコンテンツと第２の解像度のコンテンツを生成し、第２の解像度のコンテンツの編集位置（時間やフレーム位置等）と編集内容（分割やフェードイン等）を第１の解像度のコンテンツに適用させて編集を実現する。
【発明の効果】
【０００６】
映像音声情報を編集するとき、使い勝手が向上し、ユーザの利便性が増す。
【発明を実施するための最良の形態】
【０００７】
以下本発明にかかる映像音声記録再生装置について図面を用いて説明する。
【実施例１】
【０００８】
本発明の映像音声記録再生装置１００の構成図を、カメラを例として図１に示す。入力手段１０１はレンズとＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子を備えている。
【０００９】
入力手段１０１で得た電気信号を第１の解像度変換手段１０２で第１の解像度のコンテンツ（以下、ＨＤ画質コンテンツ）に変換し、同様に入力手段１０１で得た電気信号を第２の解像度変換手段１０３で第２の解像度のコンテンツ（以下、ＳＤ画質コンテンツ）に変換する。例えばＨＤ画質コンテンツの解像度を１９２０×１０８０、ＳＤ画質コンテンツの解像度を６４０×４８０とする。ＨＤ画質コンテンツとＳＤ画質コンテンツは映像音声ビットレートや映像音声ファイルサイズは異なるが、コンテンツ時間は同期するものとする。同期とはコンテンツの開始時刻、終了時刻が一致し、また同時刻に同一映像音声が記録再生されることである。
【００１０】
変換されたＨＤ画質コンテンツとＳＤ画質コンテンツを第１の記録媒体１０４（以下、ハードディスク１０４）に記録する。
【００１１】
第１の編集手段１０５は、ハードディスク１０４に記録されているＨＤ画質コンテンツとＳＤ画質コンテンツの同期を管理し、ＳＤ画質コンテンツの編集位置と編集内容を記憶する。そして記憶した編集位置と編集内容をＨＤ画質コンテンツに適用させ、編集結果に応じてＳＤ画質コンテンツと同期させる。
【００１２】
第１の再生手段１０６は、ＨＤ画質コンテンツとＳＤ画質コンテンツ、その他編集作業に必要な情報を表示するのに必要な信号処理回路を有しディスプレイを保持してもよい。
【００１３】
次に分割を例にした編集について図２を用いて説明する。図２のＡは編集前のＨＤ画質コンテンツとＳＤ画質コンテンツを示したものであり、両者のコンテンツ時刻は同期している。例として１０分００秒のコンテンツとする。ＨＤ画質コンテンツにはシーンが１つ（ＨＤシーン１＿２０１）あり、ＳＤ画質コンテンツもシーンが１つ（ＳＤシーン１＿２０２）ある。
【００１４】
ここで第１の編集手段１０５によってＳＤシーン１＿２０２を分割すると、図２のＢに示すように、ＳＤシーン１＿２１１（４分００秒）とＳＤシーン２＿２１２（６分００秒）に分割される。第１の編集手段１０５は編集位置を「４分００秒」、編集内容を「分割」と記憶する。
【００１５】
次に編集位置と編集内容のＨＤ画質コンテンツへの適用について図２のＣを用いて説明する。分割前のＨＤ画質コンテンツのシーンは１つ（ＨＤシーン１＿２０１）であるが、ＳＤ画質コンテンツの編集位置と編集内容を適用させると、ＨＤシーン１＿２２１とＨＤシーン２＿２２２に分割される。ＨＤシーン１＿２２１はＳＤシーン１＿２１１と同期し４分００秒のコンテンツとなり、ＨＤシーン２＿２２２はＳＤシーン２＿２１２と同期して６分００秒のコンテンツとなる。
【００１６】
本実施例１では編集内容の例として分割を挙げたが、その他フェードイン・フェードアウト、文字情報の表示、モノクロ等への色情報変換等の編集でもよい。
【００１７】
このように、撮影時にＨＤ画質コンテンツとＳＤ画質コンテンツの２つの解像度のファイルを生成することにより、編集時の解像度変換の処理が不要となる。またＨＤ画質コンテンツの代わりにＳＤ画質コンテンツを編集することにより、ファイルサイズが小さいため編集位置の検索と編集処理が高速になる。以上により、効率のよい編集が可能になる。
【実施例２】
【００１８】
本発明の据え置き型映像音声記録再生装置をレコーダ３００として、持ち運び型映像音声記録再生装置をポータブル機器３１０として図３に構成図を示す。
【００１９】
レコーダ３００の基本構成図は実施例１の映像音声記録再生装置と同様であり、入力手段３０１、第１の解像度変換手段３０２、第２の解像度変換手段３０３、第１の記録媒体３０４（以下、ハードディスク３０４）、第１の編集手段３０５、第１の再生手段３０６を備える。レコーダ３００の特徴として、ＨＤ画質コンテンツとＳＤ画質コンテンツにおいて再生編集許可を与える鍵を管理する第１の鍵管理手段３０７を備える。
【００２０】
ポータブル機器３１０は第２の記録媒体３１１を備え、記録媒体としてＳＤメモリカードを用いる。またレコーダ３００が備える機能と同等の第２の編集手段３１２、第２の再生手段３１３、第２の鍵管理手段３１４を備える。
【００２１】
レコーダ３００とポータブル機器３１０はそれぞれインターフェース３０８と３１５を備え、ケーブル３１６によってＳＤ画質コンテンツと鍵の移動が可能となっている。
【００２２】
地上デジタル放送のチューナを保持する入力手段３０１に、地上デジタル放送の電波が入力されると、第１の解像度変換手段３０２ではＨＤ画質コンテンツに変換し、第２の解像度変換手段３０３ではＳＤ画質コンテンツに変換する。ＨＤ画質コンテンツとＳＤ画質コンテンツはハードディスク３０４に記録される。
【００２３】
図４のＡに、ハードディスク３０４に記録されているＨＤ画質コンテンツ（ＨＤシーン１＿４０１）とＳＤ画質コンテンツ（ＳＤシーン１＿４０２）の再生編集許可状態を示す。地上デジタル放送では著作権が保護されており、ＨＤ画質コンテンツとＳＤ画質コンテンツの同時視聴が許可されていない。第１の鍵管理手段３０７は著作権保護による再生編集許可の鍵を管理しており、ＨＤ画質コンテンツとＳＤ画質コンテンツの再生編集許可は排他的または両者不許可である。したがって、レコーダ３００の再生手段３０６では第１の鍵管理手段３０７による鍵の再生編集許可状態に応じて再生を行う。
【００２４】
次に図４のＢに、レコーダ３００のハードディスク３０４にあるＳＤコンテンツ（ＳＤシーン１＿４１２）をポータブル機器３１０のＳＤメモリカード３１１に出力しコピーしたあとの再生編集許可状態を示す。ハードディスク３０４にあるＨＤコンテンツ（ＨＤシーン１＿４１１）とＳＤコンテンツ（ＳＤシーン１＿４１２）は、第１の鍵管理手段３０７により再生編集が不許可となり、ＳＤメモリカード３１１にあるＳＤコンテンツ（ＳＤシーン１＿４１３）は、第２の鍵管理手段３１４により再生編集が許可となる。
【００２５】
次に図５のＡに、ポータブル機器３１０のＳＤメモリカード３１１にあるＳＤコンテンツをＳＤシーン１＿５０３とＳＤシーン２＿５０４に分割した状態を示す。分割は第２の編集手段３１２によって行われ、編集位置（５分００秒）と編集内容（分割）を記憶する。
【００２６】
最後に図５のＢに、ポータブル機器３１０のＳＤメモリカード３１１にあるＳＤシーン１＿５１４とＳＤシーン２＿５１５の編集をレコーダ３００のハードディスク３０４にあるＨＤ画質コンテンツに適用する場合の例を示す。第２の鍵管理手段３１４はＳＤシーン１＿５１４とＳＤシーン２＿５１５の再生編集を不許可にする。第１の鍵管理手段３０７はＨＤ画質コンテンツの再生編集を許可し、第２の編集手段３１２が記憶した編集位置と編集内容を第１の編集手段３０５に適用し、ＨＤ画質コンテンツはＨＤシーン１＿５１１とＨＤシーン２＿５１２に分割される。
【００２７】
このように、著作権保護されたコンテンツにおいても鍵情報により再生編集許可を管理して、ポータブル機器上でのＳＤ画質コンテンツの編集をレコーダ上でのＨＤ画質コンテンツに適用させて編集することにより、ユーザが編集場所を選ばずに短時間かつ著作権保護を遵守して編集を容易にすることができる。
【図面の簡単な説明】
【００２８】
【図１】本発明における映像音声記録再生装置の第１の実施例を示す全体構成図。
【図２】本発明における映像音声記録再生装置の編集例を示す模式図。
【図３】本発明における映像音声記録再生装置の第２の実施例を示す全体構成図。
【図４】本発明における映像音声記録再生装置の再生編集許可と編集例を示す模式図。
【図５】本発明における映像音声記録再生装置の再生編集許可と編集例を示す模式図。
【符号の説明】
【００２９】
１００・・・映像音声記録再生装置、                １０１・・・入力手段、
１０２・・・第１の解像度変換手段、                １０３・・・第２の解像度変換手段、
１０４・・・第１の記録媒体、                          １０５・・・第１の編集手段、
１０６・・・第１の再生手段、
２０１・・・ＨＤシーン１、２０２・・・ＳＤシーン１、
２１１・・・ＳＤシーン１、２１２・・・ＳＤシーン２、
２２１・・・ＨＤシーン１、２２２・・・ＨＤシーン２、
３００・・・据え置き型映像音声記録再生装置、      ３０１・・・入力手段、
３０２・・・第１の解像度変換手段、                ３０３・・・第２の解像度変換手段、
３０４・・・第１の記録媒体、                          ３０５・・・第１の編集手段、
３０６・・・第１の再生手段、                          ３０７・・・第１の鍵管理手段、
３０８・・・インターフェース、
３１０・・・持ち運び型映像音声記録装置、        ３１１・・・第２の記録媒体、
３１２・・・第２の編集手段、                          ３１３・・・第２の再生手段、
３１４・・・第２の鍵管理手段、                        ３１５・・・インターフェース、
３１６・・・ケーブル、
４０１・・・ＨＤシーン１、４０２・・・ＳＤシーン１、
４１１・・・ＨＤシーン１、４１２・・・ＳＤシーン１、
４１３・・・ＳＤシーン１、５０１・・・ＨＤシーン１、
５０２・・・ＳＤシーン１、５０３・・・ＳＤシーン１、
５０４・・・ＳＤシーン２、５１１・・・ＨＤシーン１、
５１２・・・ＨＤシーン２、５１３・・・ＳＤシーン１、
５１４・・・ＳＤシーン１、５１５・・・ＳＤシーン２。
【図１】
2008294595.tif 000003
【図２】
2008294595.tif 000004
【図３】
2008294595.tif 000005
【図４】
2008294595.tif 000006
【図５】
2008294595.tif 000007